(57)【要約】【課題】著作権についてのライセンスの的確な管理を支援するための著作権管理支援システム、著作権管理支援方法及び著作権管理支援プログラムを提供する。【解決手段】著作権管理支援サーバ２０は、コンテンツ情報記憶部２２、購入契約情報記憶部２３、販売契約情報記憶部２４、関連権利情報記憶部２５を備える。そして、利用者端末１０から検索条件を受信した著作権管理支援サーバ２０の制御部２１は、コンテンツ情報記憶部２２、購入契約情報記憶部２３、販売契約情報記憶部２４を用いて、利用可能なコンテンツを表示したアベイラブルリストを出力する。更に、利用者端末１０から詳細要求を受信した制御部２１は、著作権展開リストを出力する。そして、利用者端末１０において設定された販売希望の権利範囲と既購入契約、既販売契約における権利との照合を行なう。【選択図】図１
2008171338.tif 000002
【特許請求の範囲】
【請求項１】
保持する著作権ライセンスについて、著作権種別毎に権利期間に関するデータを記録したリソースデータ記憶手段と、
販売した著作権ライセンスについて、著作権種別毎に独占期間に関する契約データを記録した販売契約データ記憶手段と、
著作権ライセンスの販売管理を行なう制御手段を備えた著作権管理支援システムであって、
前記制御手段が、
前記リソースデータ記憶手段に記録された権利期間が残存する著作権ライセンスを、販売候補として特定し、この著作権ライセンスに対して、販売を希望する著作権ライセンスの著作権種別及び希望権利期間を含む販売希望対象範囲に関するデータを取得する手段と、
販売希望対象範囲に対して、競合する著作権種別を特定し、この著作権種別について、前記販売契約データ記憶手段を用いて既販売権利範囲を検索する手段と、
前記既販売権利範囲の独占期間と前記販売希望対象範囲における希望権利期間とを照合し、両期間の重複範囲を出力する手段
として機能することを特徴とする著作権管理支援システム。
【請求項２】
前記リソースデータ記憶手段には、保持する著作権ライセンスについて、著作権種別毎に制限回数に関するデータが更に記録され、
前記制御手段は、前記著作権ライセンスの実施履歴を取得し、前記実施履歴における回数が前記リソースデータ記憶手段に記録された制限回数に達していない著作権ライセンスを販売候補として特定することを特徴とする請求項１に記載の著作権管理支援システム。
【請求項３】
前記販売契約データ記憶手段には、販売した著作権ライセンスについて、著作権種別毎に利用回数に関するデータが更に記録され、
前記制御手段は、前記著作権ライセンスの実施履歴を取得し、前記実施履歴における回数が前記販売契約データ記憶手段に記録された制限回数に達している著作権ライセンスは、前記既販売権利範囲から除くことを特徴とする請求項１又は２に記載の著作権管理支援システム。
【請求項４】
前記ソースデータ記憶手段に記録された著作権ライセンスは、購入した著作権ライセンスであることを特徴とする請求項１〜３のいずれか一つに記載の著作権管理支援システム。
【請求項５】
相互に関連する著作権の著作権種別を関連付けて記録した関連著作権データ記憶手段を更に備え、
前記制御手段が、更に、
前記関連著作権データ記憶手段を用いて、前記販売希望対象範囲の著作権に対して関連する関連著作権の著作権種別を特定する手段と、
前記関連著作権の著作権種別について、前記販売契約データ記憶手段を用いて既販売権利範囲を検索する手段と、
前記既販売権利範囲の独占期間と前記販売希望対象範囲における希望権利期間とを照合し、両期間の重複範囲を出力する手段
として機能することを特徴とする請求項１〜４のいずれか一つに記載の著作権管理支援システム。
【請求項６】
前記制御手段が、更に、
前記販売希望対象範囲の著作権に対して、前記リソースデータ記憶手段に記録された著
作権ライセンスの購入範囲に関するデータを取得する手段と、
前記購入範囲と前記販売希望対象範囲とを照合し、両者の不足範囲を出力する手段
として機能することを特徴とする請求項１〜５のいずれか一つに記載の著作権管理支援システム。
【請求項７】
保持する著作権ライセンスについて、著作権種別毎に権利期間に関するデータを記録したリソースデータ記憶手段と、
販売した著作権ライセンスについて、著作権種別毎に独占期間に関する契約データを記録した販売契約データ記憶手段と、
著作権ライセンスの販売管理を行なう制御手段を備えた著作権管理支援システムを用いて著作権の管理支援を行なうための方法であって、
前記制御手段が、
前記リソースデータ記憶手段に記録された権利期間が残存する著作権ライセンスを、販売候補として特定し、この著作権ライセンスに対して、販売を希望する著作権ライセンスの著作権種別及び希望権利期間を含む販売希望対象範囲に関するデータを取得する段階と、
販売希望対象範囲に対して、競合する著作権種別を特定し、この著作権種別について、前記販売契約データ記憶手段を用いて既販売権利範囲を検索する段階と、
前記既販売権利範囲の独占期間と前記販売希望対象範囲における希望権利期間とを照合し、重複範囲を出力する段階と
を実行することを特徴とする著作権管理支援方法。
【請求項８】
保持する著作権ライセンスについて、著作権種別毎に権利期間に関するデータを記録したリソースデータ記憶手段と、
販売した著作権ライセンスについて、著作権種別毎に独占期間に関する契約データを記録した販売契約データ記憶手段と、
著作権ライセンスの販売管理を行なう制御手段を備えた著作権管理支援システムを用いて著作権の管理支援を行なうためのプログラムであって、
前記制御手段を、
前記リソースデータ記憶手段に記録された権利期間が残存する著作権ライセンスを、販売候補として特定し、この著作権ライセンスに対して、販売を希望する著作権ライセンスの著作権種別及び希望権利期間を含む販売希望対象範囲に関するデータを取得する手段と、
販売希望対象範囲に対して、競合する著作権種別を特定し、この著作権種別について、前記販売契約データ記憶手段を用いて既販売権利範囲を検索する手段と、
前記既販売権利範囲の独占期間と前記販売希望対象範囲における希望権利期間とを照合し、重複範囲を出力する手段
として機能させることを特徴とする著作権管理支援プログラム。
【発明の詳細な説明】
【技術分野】
【０００１】
本発明は、著作権についてのライセンスの的確な管理を支援するための著作権管理支援システム、方法及びプログラムに関する。
【背景技術】
【０００２】
今日、テレビや映画等のように各種メディアを通して、多様なコンテンツが提供されている。このようなコンテンツには、いろいろな著作権が関係しており、このようなコンテンツを利用するためにはライセンスが必要になる。そこで、ライセンス等の著作権処理に関する簡易化を図り、コンテンツの著作権の権利処理を仲介・支援する情報処理システムが検討されている（例えば、特許文献１を参照。）。この文献記載の技術では、データ送受信装置は、コンテンツの著作権者からコンテンツを受信すると、発信回線番号認識機構により発信端末の発信回線番号を認識する。次に、電子透かし埋め込み装置により発信回線番号をコンテンツの中に電子透かしとして埋め込み、その透かし入りコンテンツを返信する。また、データ送受信装置は、著作権者の利用（購入）許諾が必要なコンテンツを受信すると、電子透かし検出装置により電子透かしで埋め込まれた発信回線番号を検出し、その発信回線番号の情報を要求元へ返信する。
【０００３】
また、デジタルコンテンツの流通も活発化しており、各種コンテンツの管理システムが検討されている。例えば、データの種類に応じた著作権保護を施した一つまたは複数のデジタルコンテンツを簡便に販売または購入可能なコンテンツ販売システムが検討されている（例えば、特許文献２を参照。）。この文献記載のコンテンツ販売システムは、一つまたは複数のデジタルコンテンツから成る商品情報を設定し、商品として販売する商品管理手段と、商品に含まれる前記デジタルコンテンツを記録し、配信するコンテンツ管理手段とを備える。更に、デジタルコンテンツの各々にライセンス発行条件を設定し、ライセンスを配信することでデジタルコンテンツの利用を許諾するライセンス管理手段を備える。そして、商品管理手段、コンテンツ管理手段及びライセンス管理手段と通信しながら、情報端末においてデジタルコンテンツを再生する。
【特許文献１】特開２００２−１７５３８０号公報（第１頁）
【特許文献２】特開２００３−１８７０１７号公報（第１頁）
【発明の開示】
【発明が解決しようとする課題】
【０００４】
コンテンツを提供する事業を行なう場合、その事業の対象となるコンテンツにかかわる著作権について所定のライセンスを取得する必要があり、このような著作権を仲介する流通サービスも活発化している。しかし、著作権の権利関係は複雑である。例えば、図１４に示すように、著作権については対象国毎にライセンス契約を締結する必要がある。更に、このような著作権は、言語やメディアなど設定対象によっても異なる。また、ライセンス契約を行なう場合には、その権利期間も考慮しなければならない。
【０００５】
更に、特定のコンテンツを提供する場合には、これに関連する他の権利を考慮しなければならないこともある。例えば、地上波テレビ放送により番組のコンテンツの提供を行なう場合には、衛星放送等における放映状況なども考慮する必要があり、地上波テレビ放送権と衛星放送権とが関連する。また、先に放送した番組と同じ番組を近い時期に再放送したのでは、そのコンテンツの魅力を低減してしまうことになる。このように、コンテンツに関わる権利を購入したり販売したりするための契約を締結する場合には、他の著作権の契約状況を考慮しなければならない場合もある。
【０００６】
本発明は、上記問題点を解決するためになされたものであり、著作権についてのライセンスの的確な管理を支援するための著作権管理支援システム、著作権管理支援方法及び著作権管理支援プログラムを提供することにある。
【課題を解決するための手段】
【０００７】
上記問題点を解決するために、請求項１に記載の発明は、保持する著作権ライセンスについて、著作権種別毎に権利期間に関するデータを記録したリソースデータ記憶手段と、販売した著作権ライセンスについて、著作権種別毎に独占期間に関する契約データを記録した販売契約データ記憶手段と、著作権ライセンスの販売管理を行なう制御手段を備えた著作権管理支援システムであって、前記制御手段が、前記リソースデータ記憶手段に記録された権利期間が残存する著作権ライセンスを、販売候補として特定し、この著作権ライセンスに対して、販売を希望する著作権ライセンスの著作権種別及び希望権利期間を含む販売希望対象範囲に関するデータを取得する手段と、販売希望対象範囲に対して、競合する著作権種別を特定し、この著作権種別について、前記販売契約データ記憶手段を用いて既販売権利範囲を検索する手段と、前記既販売権利範囲の独占期間と前記販売希望対象範囲における希望権利期間とを照合し、両期間の重複範囲を出力する手段として機能することを要旨とする。
【０００８】
請求項２に記載の発明は、請求項１に記載の著作権管理支援システムにおいて、前記リソースデータ記憶手段には、保持する著作権ライセンスについて、著作権種別毎に制限回数に関するデータが更に記録され、前記制御手段は、前記著作権ライセンスの実施履歴を取得し、前記実施履歴における回数が前記リソースデータ記憶手段に記録された制限回数に達していない著作権ライセンスを販売候補として特定することを要旨とする。
【０００９】
請求項３に記載の発明は、請求項１又は２に記載の著作権管理支援システムにおいて、前記販売契約データ記憶手段には、販売した著作権ライセンスについて、著作権種別毎に利用回数に関するデータが更に記録され、前記制御手段は、前記著作権ライセンスの実施履歴を取得し、前記実施履歴における回数が前記販売契約データ記憶手段に記録された制限回数に達している著作権ライセンスは、前記既販売権利範囲から除くことを要旨とする。
【００１０】
請求項４に記載の発明は、請求項１〜３のいずれか一つに記載の著作権管理支援システムにおいて、前記ソースデータ記憶手段に記録された著作権ライセンスは、購入した著作権ライセンスであることを要旨とする。
【００１１】
請求項５に記載の発明は、請求項１〜４のいずれか一つに記載の著作権管理支援システムにおいて、相互に関連する著作権の著作権種別を関連付けて記録した関連著作権データ記憶手段を更に備え、前記制御手段が、更に、前記関連著作権データ記憶手段を用いて、前記販売希望対象範囲の著作権に対して関連する関連著作権の著作権種別を特定する手段と、前記関連著作権の著作権種別について、前記販売契約データ記憶手段を用いて既販売権利範囲を検索する手段と、前記既販売権利範囲の独占期間と前記販売希望対象範囲における希望権利期間とを照合し、両期間の重複範囲を出力する手段として機能することを要旨とする。
【００１２】
請求項６に記載の発明は、請求項１〜５のいずれか一つに記載の著作権管理支援システムにおいて、前記制御手段が、更に、前記販売希望対象範囲の著作権に対して、前記リソースデータ記憶手段に記録された著作権ライセンスの購入範囲に関するデータを取得する手段と、前記購入範囲と前記販売希望対象範囲とを照合し、両者の不足範囲を出力する手段として機能することを要旨とする。
【００１３】
請求項７に記載の発明は、保持する著作権ライセンスについて、著作権種別毎に権利期間に関するデータを記録したリソースデータ記憶手段と、販売した著作権ライセンスについて、著作権種別毎に独占期間に関する契約データを記録した販売契約データ記憶手段と、著作権ライセンスの販売管理を行なう制御手段を備えた著作権管理支援システムを用いて著作権の管理支援を行なうための方法であって、前記制御手段が、前記リソースデータ記憶手段に記録された権利期間が残存する著作権ライセンスを、販売候補として特定し、この著作権ライセンスに対して、販売を希望する著作権ライセンスの著作権種別及び希望権利期間を含む販売希望対象範囲に関するデータを取得する段階と、販売希望対象範囲に対して、競合する著作権種別を特定し、この著作権種別について、前記販売契約データ記憶手段を用いて既販売権利範囲を検索する段階と、前記既販売権利範囲の独占期間と前記販売希望対象範囲における希望権利期間とを照合し、重複範囲を出力する段階とを実行することを要旨とする。
【００１４】
請求項８に記載の発明は、保持する著作権ライセンスについて、著作権種別毎に権利期間に関するデータを記録したリソースデータ記憶手段と、販売した著作権ライセンスについて、著作権種別毎に独占期間に関する契約データを記録した販売契約データ記憶手段と、著作権ライセンスの販売管理を行なう制御手段を備えた著作権管理支援システムを用いて著作権の管理支援を行なうためのプログラムであって、前記制御手段を、前記リソースデータ記憶手段に記録された権利期間が残存する著作権ライセンスを、販売候補として特定し、この著作権ライセンスに対して、販売を希望する著作権ライセンスの著作権種別及び希望権利期間を含む販売希望対象範囲に関するデータを取得する手段と、販売希望対象範囲に対して、競合する著作権種別を特定し、この著作権種別について、前記販売契約データ記憶手段を用いて既販売権利範囲を検索する手段と、前記既販売権利範囲の独占期間と前記販売希望対象範囲における希望権利期間とを照合し、重複範囲を出力する手段として機能させることを要旨とする。
【００１５】
（作用）
請求項１、７、８に記載の発明によれば、制御手段は、リソースデータ記憶手段に記録された著作権ライセンスを、販売候補として特定し、この著作権ライセンスに対して、販売を希望する著作権ライセンスの著作権種別及び希望権利期間を含む販売希望対象範囲に関するデータを取得する。次に、制御手段は、販売希望対象範囲に対して、競合する著作権種別を特定し、この著作権種別について、販売契約データ記憶手段を用いて既販売権利範囲を検索する。そして、制御手段は、既販売権利範囲の独占期間と販売希望対象範囲における希望権利期間とを照合し、両期間の重複範囲を出力する。これにより、著作権ライセンスを的確かつ効率的に販売することができる。
【００１６】
請求項２に記載の発明によれば、著作権ライセンスの実施履歴を取得し、この実施履歴における回数がリソースデータ記憶手段に記録された制限回数に達していない著作権ライセンスを販売候補として特定する。これにより、制限回数が設定された著作権ライセンスを的確に販売することができる。
【００１７】
請求項３に記載の発明によれば、著作権ライセンスの実施履歴を取得し、実施履歴における回数が販売契約データ記憶手段に記録された制限回数に達している著作権ライセンスを除いて、競合する著作権ライセンスを特定する。これにより、制限回数に達した既販売の著作権ライセンスを抹消して、新たな販売を促進することができる。
【００１８】
請求項４に記載の発明によれば、購入した著作権ライセンスを販売することにより、著作権ライセンスの販売仲介を行なうことができる。
請求項５に記載の発明によれば、制御手段は、販売希望対象範囲の著作権に対して、関
連著作権データ記憶手段を用いて、関連する関連著作権の著作権種別を特定する。次に、制御手段は、関連著作権の著作権種別について、販売契約データ記憶手段を用いて既販売権利範囲を検索する。そして、既販売権利範囲の独占期間と販売希望対象範囲における希望権利期間とを照合し、両期間の重複範囲を出力する。これにより、相互に関連した著作権について、競合した著作権ライセンスの販売を抑制し、的確な管理を行なうことができる。
【００１９】
請求項６に記載の発明によれば、制御手段は、販売希望対象範囲の著作権に対して、リソースデータ記憶手段に記録された著作権ライセンスの購入範囲に関するデータを取得する。そして、制御手段は、購入範囲と販売希望対象範囲とを照合し、不足範囲を出力する。これにより、販売に必要な権利の購入の促進を図ることができる。
【発明の効果】
【００２０】
本発明によれば、著作権についてのライセンスの的確な管理を支援するための著作権管理支援システム、著作権管理支援方法及び著作権管理支援プログラムを提供することができる。
【発明を実施するための最良の形態】
【００２１】
以下、本発明を具体化した実施形態を図１〜図１３に従って説明する。本実施形態では、企業内の担当者が、購入した著作権のライセンスを、第三者に販売する場合に用いる著作権管理支援システム、著作権管理支援方法及び著作権管理支援プログラムとして説明する。
【００２２】
本実施形態では、図１に示すように、著作権管理支援システムとしての著作権管理支援サーバ２０が著作権管理支援処理を実行する。この著作権管理支援サーバ２０には、ネットワークを介して利用者端末１０が接続されている。
【００２３】
利用者端末１０は、著作権のライセンスの購入や販売を行なう担当者が使用するコンピュータ端末である。この利用者端末１０は、利用者が著作権管理支援サーバ２０にアクセスする場合に用いられる。利用者端末１０は、ネットワークを介してデータを送信する機能や、受信したデータを表示する機能等を有する。このため、この利用者端末１０は、図示しないＣＰＵ、ＲＡＭ、ＲＯＭの他、キーボード、マウス等の入力手段、ディスプレイ等の出力手段、通信手段等を有する。
【００２４】
著作権管理支援サーバ２０は、利用者端末１０から受信したデータに基づいて著作権契約を管理する各種データ処理を行なうコンピュータシステムである。この著作権管理支援サーバ２０は、制御部２１を備える。
【００２５】
この制御部２１は、著作権管理支援処理を行なうための各種データの管理処理等を行なう制御手段として機能する。この制御部２１は、図示しないＣＰＵ、ＲＡＭ、ＲＯＭ等を有する。そして、後述する処理（販売希望対象範囲データ取得段階、既販売権利範囲検索段階、重複範囲出力段階、関連著作権の著作権種別特定段階、関連著作権の既販売権利範囲検索段階、購入範囲データ取得段階、不足範囲出力段階の各処理等）を実行する。そのための著作権管理支援プログラムを実行することにより、制御部２１は、図２に示すように、実施状況確認処理手段２１０、利用者認証手段２１１、検索処理手段２１２、アベイラブルリスト作成手段２１３、著作権特定手段２１４、契約状況取得処理手段２１５、状況確認処理手段２１６として機能する。
【００２６】
ここで、実施状況確認処理手段２１０は、実施状況情報を取得して、実施履歴を購入契約情報記憶部２３や販売契約情報記憶部２４に記録する。
利用者認証手段２１１は、マスタデータ記憶部（図示せず）に記憶された社員マスタデータを用いて、ログイン時の利用者の認証処理を実行する。
【００２７】
検索処理手段２１２は、利用者端末１０からの要求に応じて、コンテンツの検索処理を行なう。
アベイラブルリスト作成手段２１３は、抽出したコンテンツに基づいて、販売可能なコンテンツを列挙したアベイラブルリストを作成し、利用者端末１０に提供する。
【００２８】
著作権特定手段２１４は、アベイラブルリストの中から選択されたコンテンツに関する著作権を特定する。
契約状況取得処理手段２１５は、販売を希望する著作権のライセンスや、この著作権の関連する著作権（関連著作権）のライセンスの契約状況に関するデータを取得する。
【００２９】
状況確認処理手段２１６は、販売を希望する著作権のライセンスの内容と、契約状況とを比較して、注意を要する差分（重複範囲や不足範囲）を検出して利用者端末１０に通知する。
【００３０】
更に、著作権管理支援サーバ２０は、図１に示すように、コンテンツ情報記憶部２２、リソースデータ記憶手段としての購入契約情報記憶部２３、販売契約データ記憶手段としての販売契約情報記憶部２４、関連著作権データ記憶手段としての関連権利情報記憶部２５を備える。
【００３１】
コンテンツ情報記憶部２２には、この企業が取り扱う著作権の対象（例えば、番組等の作品）に関するコンテンツ情報レコード２２０が記録されている。このコンテンツ情報レコード２２０は、売買対象のコンテンツが登録された場合に記録される。コンテンツ情報レコード２２０には、図３に示すように、作品ＩＤ、エピソードＩＤ、作品タイトル、エピソードタイトル、ジャンルに関するデータが記録される。
【００３２】
作品ＩＤデータ領域には、各作品を特定するための識別子に関するデータが記録される。
エピソードＩＤデータ領域には、この作品（例えば、番組）が複数のエピソードから構成されている場合には、各エピソードを特定するための識別子に関するデータが記録される。この作品ＩＤ及びエピソードＩＤを用いることにより、後述する購入契約情報や販売契約情報を特定することができる。
【００３３】
作品タイトルデータ領域には、各作品（例えば、番組）の名称（タイトル）に関するデータが記録される。
エピソードタイトルデータ領域には、作品を構成するエピソードの名称（タイトル）に関するデータが記録される。
ジャンルデータ領域には、作品やエピソードが属する分野（例えば「洋画」）に関するデータが記録される。
【００３４】
購入契約情報記憶部２３には、この企業が購入し、保持する著作権ライセンスについての契約データとして購入契約情報レコード２３０が記録される。この購入契約情報レコード２３０は、著作権のライセンスの購入契約が締結された場合に記録され、その後の状況に応じて更新される。購入契約情報レコード２３０は、図４に示すように、購入契約ＩＤ、作品ＩＤ、エピソードＩＤ、対象国、言語、権利種別ＩＤ、権利種別明細ＩＤ、権利期間、ブラックアウト期間、回数制限、実施履歴に関するデータを含んで構成される。
【００３５】
購入契約ＩＤデータ領域には、各購入契約を特定するための識別子に関するデータが記
録される。
作品ＩＤデータ領域やエピソードＩＤデータ領域には、購入したライセンスについての作品やエピソードを特定するための識別子に関するデータが記録される。
【００３６】
対象国データ領域や言語データ領域には、購入した著作権のライセンスの対象国、言語に関するデータが記録される。この対象国、言語において著作権のライセンスを第三者に販売することができる。
【００３７】
権利種別ＩＤデータ領域には、購入した著作権のライセンスの種別を特定するためのデータが記録される。この権利種別ＩＤには、例えば放送権、ビデオグラム権、出版化権等の種別がある。
【００３８】
権利種別明細ＩＤデータ領域には、この権利種別を詳細に分類した明細に関するデータが記録される。この権利種別明細ＩＤには、例えば、放送権に対しては、地上波放送権（無料）、地上波放送権（有料）、ケーブル放送権（無料）、ケーブル放送権（有料）、ＢＳ衛星放送（無料）、ＢＳ放送権（有料）、ＣＳ衛星放送権（無料）、ＣＳ衛星放送権（有料）、インフライト権、ブロードバンド権、ローカル放送権などがある。
【００３９】
権利期間データ領域には、購入した著作権のライセンスの販売可能期間（開始日及び終了日）に関するデータが記録される。
ブラックアウト期間データ領域には、ブラックアウト期間（開始日及び終了日）に関するデータが記録される。ここで、ブラックアウトとは、この購入契約時に、販売のライセンスを有する期間の前又は後に販売を行わないことを約束することである。
【００４０】
回数制限データ領域には、購入契約において、権利種別明細により特定されるコンテンツ利用の回数に制限が設定されている場合には、その回数に関するデータが記録される。
実施履歴データ領域には、このコンテンツの実施履歴に関するデータが記録される。具体的には、実施日に関するデータが記録され、この実施履歴を計数することにより、実施回数を特定することができる。
【００４１】
一方、販売契約情報記憶部２４には、この企業が販売した著作権のライセンスについての契約データとして販売契約情報レコード２４０及びホールドバックレコード２４１が記録される。この販売契約情報レコード２４０、ホールドバックレコード２４１は、著作権のライセンス販売契約が締結された場合に記録され、その後の状況に応じて更新される。ここで、ホールドバックとは、この販売契約時に、販売した権利には別の権利を一定期間、他者に販売しないことを約束することである。
【００４２】
販売契約情報レコード２４０は、図５に示すように、販売契約ＩＤ、作品ＩＤ、エピソードＩＤ、対象国、言語、権利種別ＩＤ、権利種別明細ＩＤ、権利期間、独占期間、回数制限、実施履歴に関するデータを含んで構成される。
【００４３】
販売契約ＩＤデータ領域には、各販売契約を特定するための識別子に関するデータが記録される。
作品ＩＤデータ領域やエピソードＩＤデータ領域には、販売したライセンスについての作品やエピソードを特定するための識別子に関するデータが記録される。
【００４４】
対象国データ領域や言語データ領域には、販売した著作権のライセンスの対象国、言語に関するデータが記録される。
権利種別ＩＤデータ領域には、販売した著作権のライセンスの種別を特定するためのデータが記録される。
【００４５】
権利種別明細ＩＤデータ領域には、この権利種別を詳細に分類した明細に関するデータが記録される。
権利期間データ領域には、販売した著作権の有効期間（開始日及び終了日）に関するデータが記録される。
【００４６】
独占期間データ領域には、販売先が独占権を有する期間（開始日及び終了日）に関するデータが記録される。従って、販売契約において、独占期間が登録されている場合には、このライセンスを、販売先以外の他者に販売することができない。
【００４７】
回数制限データ領域には、販売契約において、権利種別明細により特定されるコンテンツ利用の回数に回数制限が設定されている場合には、その回数に関するデータが記録される。
【００４８】
実施履歴データ領域には、このコンテンツの実施履歴に関するデータが記録される。具体的には、実施日に関するデータが記録され、この実施履歴を計数することにより、実施回数を特定することができる。
【００４９】
一方、ホールドバックレコード２４１は、販売契約ＩＤ、権利種別ＩＤ、権利種別明細ＩＤ、ホールドバック期間に関するデータを含んで構成される。販売契約ＩＤ、権利種別ＩＤ、権利種別明細ＩＤにより、ホールドバックレコード２４１と販売契約情報レコード２４０とが関連付けられている。
【００５０】
ホールドバック期間は、販売契約ＩＤ、権利種別ＩＤ、権利種別明細ＩＤによって特定される契約において設定されたホールドバック期間（開始日及び終了日）に関するデータが記録される。
【００５１】
さらに、関連権利情報記憶部２５には、権利種別毎に、各権利に関連性がある他の権利に関する関連権利情報レコード２５０が記録される。この関連権利情報レコード２５０は、相互に関連する権利をグループとして登録された場合に記録される。この関連権利情報レコード２５０には、図６に示すように、相互に関連性を有する権利種別ＩＤ、権利種別明細ＩＤが関連付けられて記録される。
【００５２】
次に、本実施形態の著作権管理支援を行なう場合の処理について説明する。ここでは、全体の手順（図７）、実施状況の確認処理（図８）、新規販売の確認処理（図９〜図１１）の順に説明する。
【００５３】
著作権のライセンスの購入を行なった場合には、購入契約情報の登録を行なう（ステップＳ１−１）。具体的には、コンテンツ情報レコード２２０、購入契約情報レコード２３０を生成し、それぞれをコンテンツ情報記憶部２２、購入契約情報記憶部２３に登録する。
【００５４】
一方、購入して販売された著作権のライセンスについては、実施状況の登録処理を行なう（ステップＳ１−２）。具体的には、後述するように、購入契約情報レコード２３０や販売契約情報レコード２４０において、実施履歴が逐次、追加登録される。
【００５５】
そして、新たに著作権のライセンスを販売する場合には、新規販売の確認処理を行なう（ステップＳ１−３）。ここでは、新たに販売を希望する著作権のライセンスについて、購入契約や他の販売契約との関係において問題がないかどうかを確認する。
【００５６】
次に、著作権のライセンスの販売を行なった場合には、販売契約情報の登録を行なう（ステップＳ１−４）。具体的には、販売契約情報レコード２４０やホールドバックレコード２４１を生成し、販売契約情報記憶部２４に登録する。
【００５７】
以上の手順において実行される各処理を、次に詳述する。
（実施状況の確認処理）
先ず、実施状況の確認処理について、図８を用いて説明する。
【００５８】
著作権管理支援サーバ２０の制御部２１は、実施情報の取得処理を実行する（ステップＳ２−１）。具体的には、制御部２１の実施状況確認処理手段２１０が実施情報を取得する。例えば、利用者端末１０において、作品ＩＤ、エピソードＩＤ、権利種別ＩＤ、権利種別明細ＩＤを特定して入力された実施情報を取得する。
【００５９】
また、例えば、テレビ等における放送番組の場合には、インターネット等において公開される番組表を用いて、定期的に実施情報を取得することも可能である。この場合には、番組表において公開されるメディアに対応させて権利種別ＩＤ、権利種別明細ＩＤを登録したメディア対応表を用いる。そして、実施状況確認処理手段２１０が、コンテンツ情報記憶部２２に記録された作品タイトルやエピソードタイトルをキーワードとして番組表を検索する。そして、実施状況確認処理手段２１０は、番組表において、キーワードに合致するコンテンツを検出した場合には、このメディア対応表に基づいて、権利種別ＩＤ、権利種別明細ＩＤを特定する。そして、実施状況確認処理手段２１０は、この番組の放送日を実施日として、実施履歴を購入契約情報記憶部２３や販売契約情報記憶部２４に記録する。
【００６０】
次に、著作権管理支援サーバ２０の制御部２１は、制限回数の確認処理を実行する（ステップＳ２−２）。具体的には、制御部２１の実施状況確認処理手段２１０は、販売契約情報レコード２４０の実施履歴に記録された実施回数を計数する。そして、この実施回数と、販売契約情報レコード２４０の回数制限とを比較する。
【００６１】
実施回数が回数制限に達した場合（ステップＳ２−２において「ＹＥＳ」の場合）、著作権管理支援サーバ２０の制御部２１は、権利期間満了処理を実行する（ステップＳ２−３）。具体的には、制御部２１の実施状況確認処理手段２１０は、システムタイマから現在日付を取得する。そして、実施状況確認処理手段２１０は、この現在日付を、販売契約情報レコード２４０の権利期間の終了日として更新記録する。これにより、この販売契約を終了させて、新たな販売契約を締結できるようにすることができる。
【００６２】
次に、著作権管理支援サーバ２０の制御部２１は、ホールドバックの有無の確認処理を実行する（ステップＳ２−４）。具体的には、この販売契約情報レコード２４０に関連付けられたホールドバックレコード２４１の登録の有無を確認する。
【００６３】
ホールドバックレコード２４１が登録されている場合（ステップＳ２−４において「ＹＥＳ」の場合）には、著作権管理支援サーバ２０の制御部２１は、ホールドバックの終了処理を実行する（ステップＳ２−５）。具体的には、制御部２１の実施状況確認処理手段２１０は、現在日付をホールドバック期間の終了日として更新記録する。これにより、このホールドバックを終了させることができる。
【００６４】
なお、実施回数が回数制限に達していない場合（ステップＳ２−２において「ＮＯ」の場合）や、ホールドバックレコード２４１が登録されていない場合（ステップＳ２−４において「ＮＯ」の場合）には、そのまま実施状況の確認処理を終了する。
【００６５】
（新規販売時の契約状況確認処理）
次に、図９〜図１１を用いて、新規販売時の契約状況確認処理を説明する。
新規販売を行なう場合、まず、利用者端末１０のブラウザプログラムを起動し、著作権管理支援サーバ２０にアクセスする。
【００６６】
この場合、著作権管理支援サーバ２０の制御部２１は、利用者認証処理を実行する（ステップＳ３−１）。具体的には、著作権管理支援サーバ２０は、ネットワークを介して利用者端末１０にログイン画面データを送信する。そして、このログイン画面データを受信した利用者端末１０のディスプレイには、ログイン画面が表示される。このログイン画面は、社員コード及びログインパスワードの入力欄を備える。
【００６７】
ログイン画面の各入力欄に対して社員コード及びログインパスワードの入力後、送信ボタンが選択された場合、利用者端末１０は、ログイン要求を著作権管理支援サーバ２０に送信する。このログイン要求には、入力された社員コード及びログインパスワードに関するデータを含める。
【００６８】
ログイン要求を受信した制御部２１の利用者認証手段２１１は、は、マスタデータ記憶部の社員マスタを用いて、ログイン要求に含まれる社員コード及びログインパスワードの登録の有無を確認する。そして、利用者認証ができた場合、利用者認証手段２１１は、この社員の権限に対応したメニュー画面データを利用者端末１０に提供する。ここでは、著作権のライセンスの販売権限を有する社員に対して、販売提案を実行するための選択ボタンを含むメニュー画面データを提供する場合を想定する。具体的には、メニュー画面に表示されたコンテンツ検索ボタンを選択する。この場合、利用者端末１０は、検索画面要求を著作権管理支援サーバ２０に送信する。
【００６９】
検索画面要求を受信した著作権管理支援サーバ２０の制御部２１は、検索条件設定処理を実行する（ステップＳ３−２）。具体的には、著作権管理支援サーバ２０の制御部２１は、コンテンツ検索画面データを利用者端末１０に提供する。そして、このコンテンツ検索画面データを受信した利用者端末１０のディスプレイには、コンテンツ検索画面が表示される。このコンテンツ検索画面は、コンテンツを検索するためのキーワード入力欄を備える。コンテンツ検索画面のキーワード入力欄において、ジャンルやタイトル名を入力することができる。そして、キーワードの入力後、送信ボタンを選択した場合、利用者端末１０は、検索要求を著作権管理支援サーバ２０に送信する。この検索要求には、入力されたキーワードに関するデータを含める。
【００７０】
検索要求を受信した著作権管理支援サーバ２０の制御部２１は、コンテンツ検索処理を実行する（ステップＳ３−３）。このコンテンツ検索処理を、図１０を用いて説明する。
ここでは、著作権管理支援サーバ２０の制御部２１が、受信したキーワードを用いてレコード検索処理を実行する（ステップＳ４−１）。具体的には、制御部２１の検索処理手段２１２が、コンテンツ情報記憶部２２を利用して、受信したキーワードを含むコンテンツ情報レコード２２０を検索する。コンテンツ情報レコード２２０を抽出できた場合には、検索処理手段２１２は、抽出したコンテンツ情報レコード２２０の作品ＩＤとエピソードＩＤとを特定する。
【００７１】
次に、著作権管理支援サーバ２０の制御部２１は、購入契約レコードにおいて権利期間が残っているコンテンツの特定処理を実行する（ステップＳ４−２）。具体的には、検索処理手段２１２は、特定した作品ＩＤとエピソードＩＤとを含む購入契約情報レコード２３０を、購入契約情報記憶部２３から抽出する。次に、検索処理手段２１２は、抽出した購入契約情報レコード２３０において、権利期間を特定する。そして、検索処理手段２１２は、現在日付をシステムタイマから取得し、権利期間の終了日が現在日付に達していな
い購入契約情報レコード２３０を特定し、メモリに一時記憶する。
【００７２】
次に、著作権管理支援サーバ２０の制御部２１は、販売契約の独占期間の照合処理を実行する（ステップＳ４−３）。検索処理手段２１２は、ステップＳ４−２において特定された購入契約情報レコード２３０の作品ＩＤ、エピソードＩＤ、権利種別ＩＤ、権利種別明細ＩＤを含む販売契約情報レコード２４０を特定し、この販売契約情報レコード２４０に記録された独占期間の終了日を取得する。そして、この独占期間が購入契約情報レコード２３０の権利期間の終了日まで設定されている作品ＩＤ、エピソードＩＤ、権利種別ＩＤ、権利種別明細ＩＤを特定し、これに関する購入契約情報レコード２３０を一時記憶されたメモリから削除する。
【００７３】
次に、著作権管理支援サーバ２０の制御部２１は、ホールドバック期間の照合処理を実行する（ステップＳ４−４）。具体的には、検索処理手段２１２は、ステップＳ４−２において特定された購入契約情報レコード２３０の作品ＩＤ、エピソードＩＤ、権利種別ＩＤ、権利種別明細ＩＤを含むホールドバックレコード２４１を特定し、ホールドバック期間の終了日を取得する。そして、このホールドバック期間が購入契約情報レコード２３０の権利期間の終了日まで設定されている作品ＩＤ、エピソードＩＤ、権利種別ＩＤ、権利種別明細ＩＤを特定し、これに関する購入契約情報レコード２３０を一時記憶されたメモリから削除する。
【００７４】
そして、著作権管理支援サーバ２０の制御部２１は、購入契約の権利期間が残っているコンテンツの特定処理を実行する（ステップＳ４−５）。具体的には、検索処理手段２１２は、メモリに残っている購入契約情報レコード２３０の作品ＩＤ、エピソードＩＤを特定する。このような購入契約情報レコード２３０については、購入した権利が残存していることになる。以上により、コンテンツ検索処理を終了する。
【００７５】
そして、図９に示す契約状況確認処理に戻る。
ここでは、著作権管理支援サーバ２０の制御部２１は、アベイラブルリストの出力処理を実行する（ステップＳ３−４）。具体的には、制御部２１のアベイラブルリスト作成手段２１３が、特定した作品ＩＤとエピソードＩＤを含むコンテンツ情報レコード２２０を抽出し、このコンテンツを一覧表示させたアベイラブルリスト３００（図１２）を作成する。このアベイラブルリスト３００には、抽出されたコンテンツ毎に、コンテンツ情報レコード２２０の作品タイトルやエピソードタイトル、ジャンルに関する情報が含まれる。更に、このアベイラブルリスト３００には、各コンテンツを選択するための選択可能アイコンが対応付けられている。
【００７６】
この場合、利用者端末１０のディスプレイには、図１２に示すように、アベイラブルリスト３００を含む表示画面５００が出力される。表示画面５００に出力される選択可能アイコンには、作品ＩＤとエピソードＩＤが関連付けられて記憶されている。そして、各アイコンが選択された場合、この選択可能アイコンに関連付けられた作品ＩＤとエピソードＩＤに関するデータを含めた詳細要求が、著作権管理支援サーバ２０に送信される。
【００７７】
詳細要求を受信した著作権管理支援サーバ２０の制御部２１は、著作権展開リスト出力処理を実行する（ステップＳ３−５）。ここでは、利用者端末１０のディスプレイに出力されたアベイラブルリスト３００においてコンテンツが選択された場合、利用者端末１０は作品ＩＤとエピソードＩＤに関するデータを含めた詳細要求を著作権管理支援サーバ２０に送信する。
【００７８】
詳細要求を受信した著作権管理支援サーバ２０の制御部２１は、受信した作品ＩＤとエピソードＩＤを用いて、購入契約情報レコード２３０及び販売契約情報レコード２４０を
取得する。そして、第１軸（ここでは、横軸）に時間、第２軸（ここでは、縦軸）にコンテンツ、権利種別ＩＤ、権利種別明細ＩＤ、対象国、言語を示した著作権展開リスト３１０（図１２）を作成する。この著作権展開リスト３１０には、取得した購入契約情報レコード２３０及び販売契約情報レコード２４０を用いて各権利の権利期間やホールドバック期間が表示される。そして、著作権管理支援サーバ２０の制御部２１は、この著作権展開リストを含めた詳細画面データを利用者端末１０に送信する。この詳細表示画面データには、販売を希望する権利期間、独占の有無を設定することができる入力欄３１２が設けられている。
【００７９】
このデータを受信した利用者端末１０のディスプレイには、図１２に示す詳細表示画面５１０が表示される。この詳細表示画面５１０を用いることにより、各権利の選択ボタン、権利期間、独占希望の有無を設定することができる。
【００８０】
ライセンス販売を希望する著作権がある場合には、著作権展開リストにおいて、この著作権を選択し、必要に応じて入力欄３１２を用いて、販売を希望する権利期間（販売希望権利期間）、独占希望の有無を選択する。そして、詳細表示画面５１０上の送信ボタンが選択された場合、利用者端末１０は、確認要求を著作権管理支援サーバ２０に送信する。この確認要求には、選択された作品ＩＤ、エピソードＩＤ、権利種別ＩＤ、権利種別明細ＩＤ、対象国、言語、入力された販売希望権利期間に関するデータ（販売希望対象範囲データ）を含める。更に、独占希望が選択された場合には、利用者端末１０は、確認要求に独占フラグに関するデータを含める。
【００８１】
確認要求を受信した著作権管理支援サーバ２０の制御部２１は、確認処理を実行する（ステップＳ３−６）。この確認処理を、図１１を用いて説明する。
ここでは、著作権管理支援サーバ２０の制御部２１は、販売希望の権利範囲（販売希望対象範囲）を取得する（ステップＳ５−１）。具体的には、制御部２１の契約状況取得処理手段２１５が、利用者端末１０から、選択された作品ＩＤ、エピソードＩＤ、権利種別ＩＤ、権利種別明細ＩＤ、対象国、言語、入力された販売希望権利期間に関するデータを含む販売希望対象範囲データを取得する。
【００８２】
そして、著作権管理支援サーバ２０の制御部２１は、購入契約との照合処理を実行する（ステップＳ５−２）。具体的には、制御部２１の契約状況取得処理手段２１５は、購入契約情報記憶部２３において、確認要求に含まれる作品ＩＤ、エピソードＩＤ、権利種別ＩＤ、権利種別明細ＩＤ、対象国、言語を用いて、購入契約情報レコード２３０を検索する。
【００８３】
そして、著作権管理支援サーバ２０の制御部２１は、購入契約における不足の有無の確認処理を実行する（ステップＳ５−３）。具体的には、制御部２１の状況確認処理手段２１６が、契約状況取得処理手段２１５から取得した購入契約情報レコード２３０の権利期間と、確認要求に含まれる販売希望権利期間とを比較する。
【００８４】
例えば、図１３に示すように、購入した権利期間が期間Ｔ１であって、確認要求に含まれる販売希望権利期間を期間Ｔ２とした場合、期間Ｔ１１の権利が不足していることになる。このように確認要求に含まれる販売希望権利期間に対して購入契約情報レコード２３０の権利期間が短い場合（ステップＳ５−３において「ＹＥＳ」の場合）には、状況確認処理手段２１６は、不足範囲の出力処理を実行する（ステップＳ５−４）。この場合、状況確認処理手段２１６は、不足範囲があることを利用者端末１０に通知し、利用者端末１０のディスプレイには、その不足範囲を表示させたアラームが出力される。
【００８５】
次に、著作権管理支援サーバ２０の制御部２１は、既に販売された同一権利の照合処理
を実行する（ステップＳ５−５）。具体的には、制御部２１の契約状況取得処理手段２１５は、販売契約情報記憶部２４において、確認要求に含まれる作品ＩＤ、エピソードＩＤ、権利種別ＩＤ、権利種別明細ＩＤ、対象国、言語を用いて、販売契約情報レコード２４０を検索する。
【００８６】
そして、著作権管理支援サーバ２０の制御部２１は、販売契約における重複の有無の確認処理を実行する（ステップＳ５−６）。具体的には、制御部２１の状況確認処理手段２１６が、契約状況取得処理手段２１５から取得した販売契約情報レコード２４０の権利期間と、確認要求に含まれる販売希望権利期間とを比較する。ここでは、既販売の権利において独占期間が設定されている場合や、販売希望の権利において独占期間が設定されている場合、或いは両者において独占期間が設定されている場合に、この独占期間との重複の有無を確認する。更に、既販売の権利にホールドバックレコード２４１が設定されている場合にも、販売希望権利期間との重複の有無を確認する。
【００８７】
例えば、図１３に示すように、期間Ｔ３の独占期間が設定された同一権利を既に販売している場合には、期間Ｔ１２において販売希望権利期間と重複することになる。このように、確認要求に含まれる権利期間に対して販売契約情報レコード２４０の権利期間やホールドバックレコード２４１のホールドバック期間に重複がある場合（ステップＳ５−６において「ＹＥＳ」の場合）には、状況確認処理手段２１６は、重複範囲の出力処理を実行する（ステップＳ５−７）。この場合、状況確認処理手段２１６は、重複範囲があることを利用者端末１０に通知し、利用者端末１０のディスプレイには、その重複範囲を表示させたアラームが出力される。
【００８８】
次に、著作権管理支援サーバ２０の制御部２１は、既に販売された関連権利の照合処理を実行する（ステップＳ５−８）。具体的には、制御部２１の契約状況取得処理手段２１５は、関連権利情報記憶部２５を用いて、確認要求に含まれる権利種別ＩＤ、権利種別明細ＩＤ、対象国、言語を含む関連権利情報レコード２５０を抽出する。そして、契約状況取得処理手段２１５は、この関連権利情報レコード２５０に記録されている他の権利種別ＩＤ、権利種別明細ＩＤ、対象国、言語を特定する。次に、契約状況取得処理手段２１５は、販売契約情報記憶部２４において、特定された権利種別ＩＤ、権利種別明細ＩＤ、対象国、言語、及び確認要求に含まれる作品ＩＤ、エピソードＩＤを用いて、販売契約情報レコード２４０を検索する。
【００８９】
そして、著作権管理支援サーバ２０の制御部２１は、販売契約における重複の有無の確認処理を実行する（ステップＳ５−９）。具体的には、制御部２１の状況確認処理手段２１６が、契約状況取得処理手段２１５から取得した販売契約情報レコード２４０の権利期間と、確認要求に含まれる権利期間とを比較する。この場合も、ここでは、既販売の権利において独占期間が設定されている場合や、販売希望の権利において独占期間が設定されている場合、或いは両者において独占期間が設定されている場合に、この独占期間との重複の有無を確認する。更に、既販売の権利にホールドバックレコード２４１が設定されている場合にも、販売希望権利期間との重複の有無を確認する。
【００９０】
例えば、図１３に示すように、期間Ｔ４の独占期間が設定された関連権利を既に販売している場合には、期間Ｔ１３において販売希望権利期間と重複することになる。このように、確認要求に含まれる販売希望権利期間に対して販売契約情報レコード２４０の権利期間やホールドバックレコード２４１のホールドバック期間に重複がある場合（ステップＳ５−９において「ＹＥＳ」の場合）には、状況確認処理手段２１６は、重複範囲の出力処理を実行する（ステップＳ５−１０）。この場合、状況確認処理手段２１６は、重複範囲があることを利用者端末１０に通知し、利用者端末１０のディスプレイには、その重複範囲を表示させたアラームが出力される。
【００９１】
一方、購入契約において不足がない場合（ステップＳ５−３において「ＮＯ」の場合）や、既販売の同一権利において重複がない場合（ステップＳ５−６において「ＮＯ」の場合）、既販売の関連権利において重複がない場合（ステップＳ５−９において「ＮＯ」の場合）には、各照合処理におけるアラームを出力しない。そして、著作権管理支援サーバ２０の制御部２１は、図１１に示す確認処理を終了し、図９に示す契約状況確認処理を終了する。
【００９２】
以上、本実施形態によれば、以下に示す効果を得ることができる。
・  上記実施形態では、検索要求を受信した著作権管理支援サーバ２０の制御部２１は、コンテンツ検索処理を実行する（ステップＳ３−３）。ここでは、制御部２１が、受信したキーワードを用いてレコード検索処理を実行する（ステップＳ４−１）。そして、制御部２１は、購入契約レコードにおいて権利期間が残っているコンテンツの特定処理を実行する（ステップＳ４−２）。次に、制御部２１は、販売契約の独占期間の照合処理を実行する（ステップＳ４−３）。更に、制御部２１は、ホールドバック期間の照合処理を実行する（ステップＳ４−４）。そして、制御部２１は、購入契約の権利期間が残っているコンテンツの特定処理を実行する（ステップＳ４−５）。これにより、ライセンス販売を行なうことができる著作権を、効率的かつ的確に特定することができる。
【００９３】
・  上記実施形態では、確認要求を受信した著作権管理支援サーバ２０の制御部２１は、確認処理を実行する（ステップＳ３−６）。ここでは、制御部２１は、販売希望の権利範囲を取得し（ステップＳ５−１）、購入契約との照合処理を実行する（ステップＳ５−２）。そして、制御部２１は、購入契約における不足の有無の確認処理を実行する（ステップＳ５−３）。これにより、販売に必要な権利の取得を促すことができる。
【００９４】
更に、著作権管理支援サーバ２０の制御部２１は、既に販売された同一権利の照合処理を実行し（ステップＳ５−５）、販売契約における重複の有無の確認処理を実行する（ステップＳ５−６）。これにより、誤った販売契約を抑制して、的確な販売契約を効率的に促進することができる。
【００９５】
更に、著作権管理支援サーバ２０の制御部２１は、既に販売された関連権利の照合処理を実行し（ステップＳ５−８）、販売契約における重複の有無の確認処理を実行する（ステップＳ５−９）。これにより、競合する販売契約を抑制して、的確な販売契約を効率的に促進することができる。
【００９６】
・  上記実施形態では、著作権管理支援サーバ２０の制御部２１は、実施情報の取得処理を実行し（ステップＳ２−１）、制限回数の確認処理を実行する（ステップＳ２−２）。そして、実施回数が回数制限に達した場合、制御部２１は、権利期間満了処理を実行する（ステップＳ２−３）。これにより、新たな契約の促進を図ることができる。
【００９７】
なお、上記実施形態は、以下の態様に変更してもよい。
○  上記実施形態では、購入した著作権のライセンスを、第三者に販売する場合に用いたが、これに限定されるものではなく、販売可能なライセンスを保持している場合に適用することができる。従って、購入した場合に限らず、所有している著作権に関わるライセンスを販売する場合に用いることができる。
【００９８】
○  上記実施形態では、著作権管理支援サーバ２０の制御部２１は、販売希望の権利範囲を取得する（ステップＳ５−１）。具体的には、詳細表示画面上で、選択された作品ＩＤ、エピソードＩＤ、権利種別ＩＤ、権利種別明細ＩＤ、対象国、言語、入力された販売希望権利期間に関するデータ（販売希望対象範囲データ）を含めた確認要求を取得する。
ここでは、著作権の特定処理に代えて、或いはこの特定処理に加えて、事業形態を選択できるようにすることも可能である。
【００９９】
この場合には、利用者端末１０において、コンテンツを特定した上で、このコンテンツを用いての事業形態を特定する。
そして、著作権管理支援サーバ２０には事業形態情報記憶部を設けておく。この事業形態情報記憶部には、事業形態毎に、その事業を行なうために必要な権利に関する事業形態情報レコードが記録される。この事業形態情報レコードは、各事業形態において、想定される必要な権利種別が登録された場合に記録される。この事業形態情報レコードは、事業形態識別子毎に、必要権利種別ＩＤに関するデータが記録される。
【０１００】
事業形態識別子には、各事業形態を特定するための識別子に関するデータが記録される。
必要権利種別ＩＤデータ領域には、この事業形態において、必要な権利種別を特定するためのデータが記録される。例えば、映画に関わるコンテンツであれば、映画配給、ビデオディスク販売、テレビ放映、キャラクタ商品販売のように各イベントが順次展開される。この場合、各イベントに関わる著作権が関係するので、これらに関する権利種別ＩＤに関するデータが記録される。
【０１０１】
そして、制御部２１は、事業形態特定手段として機能する。事業形態特定手段は、利用者端末１０において設定された事業形態に対応した著作権を検索し、確認処理を実行する。これにより、個々の著作権を確認するのではなく、事業形態において必要な権利をまとめて確認することができる。
【０１０２】
○  上記実施形態では、著作権管理支援サーバ２０の制御部２１は、制限回数の確認処理を実行する（ステップＳ２−２）。具体的には、制御部２１の実施状況確認処理手段２１０は、販売契約情報レコード２４０の実施履歴に記録された実施回数を計数する。そして、この実施回数と、販売契約情報レコード２４０の回数制限とを比較する。この場合、更に、制御部２１の実施状況確認処理手段２１０は、購入契約情報レコード２３０の実施履歴に記録された実施回数を計数する。そして、実施回数と、これに対応する購入契約情報レコード２３０の回数制限とを比較するように構成することも可能である。この場合も、制御部２１の実施状況確認処理手段２１０は、システムタイマから現在日付を取得する。そして、実施状況確認処理手段２１０は、この現在日付を、購入契約情報レコード２３０の権利期間の終了日として更新記録する。これにより、購入契約の逸脱した販売契約を抑制することができる。
【０１０３】
○  上記実施形態では、ライセンスの対象地域として「国」を単位にしているが、所定の地域毎にライセンスを購入したり、販売したりすることも可能である。この場合には、購入契約情報記憶部２３や販売契約情報記憶部２４において、購入や販売を行なった著作権のライセンスの対象地域に関するデータを記録する。
【図面の簡単な説明】
【０１０４】
【図１】本発明の実施形態のシステム概略図。
【図２】本発明の実施形態の制御部の機能ブロックの説明図。
【図３】コンテンツ情報記憶部に記録されたデータの説明図。
【図４】購入契約情報記憶部に記録されたデータの説明図。
【図５】販売契約情報記憶部に記録されたデータの説明図。
【図６】関連権利情報記憶部に記録されたデータの説明図。
【図７】本実施形態の処理手順の説明図。
【図８】本実施形態の処理手順の説明図。
【図９】本実施形態の処理手順の説明図。
【図１０】本実施形態の処理手順の説明図。
【図１１】本実施形態の処理手順の説明図。
【図１２】利用者端末のディスプレイに出力される表示画面の説明図。
【図１３】購入契約の権利期間や販売契約の権利期間の説明図。
【図１４】権利の設定対象の説明図。
【符号の説明】
【０１０５】
１０…利用者端末、２０…著作権管理支援サーバ、２１…制御部、２１０…実施状況確認処理手段、２１１…利用者認証手段、２１２…検索処理手段、２１３…アベイラブルリスト作成手段、２１４…著作権特定手段、２１５…契約状況取得処理手段、２１６…状況確認処理手段、２２…コンテンツ情報記憶部、２３…購入契約情報記憶部、２４…販売契約情報記憶部、２５…関連権利情報記憶部、３００…アベイラブルリスト。
【図１】
2008171338.tif 000003
【図２】
2008171338.tif 000004
【図３】
2008171338.tif 000005
【図４】
2008171338.tif 000006
【図５】
2008171338.tif 000007
【図６】
2008171338.tif 000008
【図７】
2008171338.tif 000009
【図８】
2008171338.tif 000010
【図９】
2008171338.tif 000011
【図１０】
2008171338.tif 000012
【図１１】
2008171338.tif 000013
【図１２】
2008171338.tif 000014
【図１３】
2008171338.tif 000015
【図１４】
2008171338.tif 000016